(57)【特許請求の範囲】
【請求項１】
保持具（６）に固定された光ファイバ（１）の端末（１Ａ）を光部品（７）に挿入する場合に、保持具と光部品との間に配置される光ファイバのガイド治具（２）であって、
光ファイバを案内する受入部（２２）と、この受入部を前記光部品に向けての前記保持具の前進による光ファイバの挿入軌跡（Ｌ）上に配置する取付部（１８）とを備え、
前記受入部は、光ファイバを保持する遊挿溝（２３）と、この遊挿溝の両側に配置され前記遊挿溝の入口で開口する案内部（２４）とでフォーク状に構成され、さらに前記受入部は、前記遊挿溝が前記光部品に対する光ファイバの挿入軌跡を横切る向きで配置されるようになっており、前記遊挿溝には前記光部品に挿入する光ファイバを前記案内部から挿入できるようになっており、
前記光ファイバの端末が前記受入部に挿入された状態で前記保持具を光部品に向けて前進することで、前記光ファイバが前記受入部の遊挿溝に案内されて前記光部品に挿入されることを特徴とする光ファイバのガイド治具。
【請求項２】
前記受入部は、前記光部品に向けての保持具の前進に伴い移動する前記光ファイバを前記遊挿溝に案内することで前記光ファイバの曲がりぐせを矯正する機能を有することを特徴とする請求項１記載の光ファイバのガイド治具。
【請求項３】
保持具（６）に固定された光ファイバ（１）の端末（１Ａ）を光部品（７）に挿入する光部品組立工具であって、
光ファイバを固定した保持具が、光部品に対して進退可能として設けられるホルダ台（４）を具備し、前記ホルダ台における前記保持具の載置位置と光部品との間に請求項１又は２記載のガイド治具が配置されていることを特徴とする光部品組立工具。
【請求項４】
保持具（６）に固定された光ファイバ（１）の端末（１Ａ）を、請求項１又は２記載のガイド治具の案内部から前記遊挿溝に挿入した後、前記保持具を前記光部品に向けて前進させて、前記光ファイバの端末を光部品（７）に挿入することを特徴とする光部品の組立方法。
【発明の詳細な説明】
【０００１】
【発明の属する技術分野】
この発明は、例えば、光ファイバ心線を光コネクタ等の光部品に挿入する場合に用いられる光ファイバのガイド治具、光部品組立工具、光部品の組立方法に関するものである。
【０００２】
【従来の技術】
従来から、光通信等において光ファイバ心線が広く用いられている。この光ファイバ心線はガラス製等の裸ファイバを被覆材で覆ったもので、端末部に光コネクタを取り付けたり、２本の光ファイバ心線を結合したりする等、様々な形態に加工して使用されている。
【０００３】
【発明が解決しようとする課題】
この種の光ファイバ心線を光部品に挿入する場合に、この光ファイバ心線をファイバホルダに保持しておき、保持された光ファイバ心線の端末をファイバホルダごとその挿入方向に移動させることによって光部品に挿入する方法が用いられることがある。
このような作業を行う場合に、光ファイバ心線が曲がりぐせのない真っ直ぐな状態であるときには、挿入作業は何ら問題なく行えるが、光ファイバ心線が曲がっているときには、光部品に挿入する作業に先立って予め作業者が曲がりぐせを修正したり、作業者がその都度曲がりぐせを直しながら作業を行う必要がある。したがって、作業が面倒であり作業効率が悪く、作業時間が多くかかるという問題がある。
【０００４】
現状では光ファイバ心線がドラムに巻付けられて納入されたり、あるいは、被覆材の内部応力が不均一であるため自然に曲がりぐせが生じている等様々な理由から上記のような問題が不可避的に生ずるのである。とりわけ、現場において光ファイバ心線の端末に光コネクタを取り付けるような工具の開発が望まれてきている状況下では、このような光ファイバ心線のガイド治具の必要性がさらに高まっている。そこで、この発明は光ファイバ心線等の光ファイバに曲がりぐせがあっても、これを矯正することができるガイド治具、光部品組立工具、光部品の組立方法を提供するものである。
【０００５】
【課題を解決するための手段】
この発明は、前記課題を解決するために、保持具に固定された光ファイバの端末を光部品に挿入する場合に、保持具と光部品との間に配置される光ファイバのガイド治具であって、光ファイバを案内する受入部と、この受入部を前記光部品に向けての前記保持具の前進による光ファイバの挿入軌跡上に配置する取付部とを備え、前記受入部は、光ファイバを保持する遊挿溝と、この遊挿溝の両側に配置され前記遊挿溝の入口で開口する案内部とでフォーク状に構成され、さらに前記受入部は、前記遊挿溝が前記光部品に対する光ファイバの挿入軌跡を横切る向きで配置されるようになっており、前記遊挿溝には前記光部品に挿入する光ファイバを前記案内部から挿入できるようになっており、前記光ファイバの端末が前記受入部に挿入された状態で前記保持具を光部品に向けて前進することで、前記光ファイバが前記受入部の遊挿溝に案内されて前記光部品に挿入されることを特徴とする光ファイバのガイド治具を前記課題の解決手段とした。
また、このガイド治具では、前記受入部は、前記光部品に向けての保持具の前進に伴い移動する前記光ファイバを前記遊挿溝に案内することで前記光ファイバの曲がりぐせを矯正する機能を有する構成も採用可能である。
また、本発明では、保持具に固定された光ファイバの端末を光部品に挿入する光部品組立工具であって、光ファイバを固定した保持具が、光部品に対して進退可能として設けられるホルダ台を具備し、前記ホルダ台における前記保持具の載置位置と光部品との間に請求項１又は２記載のガイド治具が配置されていることを特徴とする光部品組立工具を提供する。
また、本発明では、保持具に固定された光ファイバの端末を、請求項１又は２記載のガイド治具の案内部から前記遊挿溝に挿入した後、前記保持具を前記光部品に向けて前進させて、前記光ファイバの端末を光部品に挿入することを特徴とする光部品の組立方法を提供する。
【０００６】
本発明に適用される光ファイバとしては、光ファイバ心線、光ファイバコード等、被覆材によって被覆された各種構成が採用可能である。
保持具に固定された光ファイバの端末を、光ファイバ同士を突き合わせ接続する光ファイバ接続器や光コネクタ等の光部品に挿入する場合には、保持具と光部品との間にガイド治具を配置し、ガイド治具の取付部をセットすれば、受入部が光ファイバの挿入軌跡上に正確に位置決めされる。
次いで、光ファイバを保持具に固定し光ファイバの端末を突出させた状態で、光部品に対して保持具を移動させれば、光ファイバの突出部分は、ガイド治具の受入部に案内された状態で挿入されるため、光ファイバの曲がりぐせが矯正され、光ファイバの端末は光部品に正確に挿入される。
【０００７】
【発明の実施の形態】
以下この発明の光ファイバのガイド治具の実施の形態を図１から図５を参照して説明する。
図１に示すのは、光ファイバとしての光ファイバ心線１のガイド治具２を装着した光コネクタ組立工具３である。
この光コネクタ組立工具３は、ホルダ台４の一側に光コネクタ保持部５が設けられ、ホルダ台４の他側に光ファイバ心線１を保持する保持具としてのファイバホルダ６が設けられたものである。
【０００８】
鎖線で示すように、コネクタ保持部５に装着される光部品としての光コネクタ７は、いわゆるＳＣ形光コネクタ（ＪＩＳ  Ｃ  ５９７３に制定される光コネクタ）である。この光コネクタ７には、予め裸ファイバ８の短線が挿入されたフェルール９と、このフェルール９内の裸ファイバ８と光ファイバ心線１とを接合する接続機構１０とが設けられている。
【０００９】
ファイバホルダ６は、ホルダ台４に対して着脱可能に構成されたもので、図２にも示すように、２つの蓋部６Ａを開閉することによって光ファイバ心線１を保持開放し、ホルダ台４の摺動面Ｇを基準にして適正な位置に光ファイバ心線１を保持しつつ、コネクタ保持部５に対して進退可能に構成されている。
ここで、このファイバホルダ６はファイバホルダ６の進退方向に沿って配置された付勢機構１１によって、光コネクタ保持部５側に付勢されるようになっている。
【００１０】
図１に示すように、付勢機構１１はホルダ台４に固定されたピン１２にスプリング１３の一端が固定され、スプリング１３の他端はスライダ１４に取り付けられたものである。上記スライダ１４にはフック１５が取り付けられ、このフック１５がファイバホルダ６の後端を押圧してファイバホルダ６を前進させるようになっている。
尚、ファイバホルダ６はスプリング１３が伸長した待機位置においては図示しない係止部材によりロックされる。
【００１１】
ここで、ホルダ台４には、図１に示すように、斜めに配置された他の付勢機構１６が設けられているが、この付勢機構１６は形式の違う他のファイバホルダに使用されるものであり、使用する場合には、下部ブロック１７ごと反転することでホルダ台４の適正な位置にセットされる。
【００１２】
このように構成された光コネクタ組立工具３に光ファイバ心線１のガイド治具２が着脱可能に取り付けられている。
ガイド治具２は、図１に示すように、ファイバホルダ６と光コネクタ保持部５との間に配置されるもので、ファイバホルダ６に保持された光ファイバ心線１の端末１Ａを光コネクタ７に挿入する場合に、この光ファイバ心線１の端末１Ａを案内して正確に光コネクタ７に挿入するものである。
【００１３】
具体的には、ガイド治具２は、図３、図４、図５に示すように、ホルダ台４の摺動面Ｇに載置される取付部１８と、光ファイバ心線１を案内するガイド部１９と、ファイバホルダ６の移動を規制するストッパ２０とを備えたものである。
上記取付部１８にガイド部１９がボルト２１によって固定され、ストッパ２０をホルダ台４に固定することで、ガイド治具２がホルダ台４に着脱可能に固定されている。尚、１８Ａは取付部１８のネジ孔、２０Ａはストッパ２０の取付孔を各々示す。
【００１４】
ガイド部１９には、図４に示すように、その上部に光ファイバ心線１の受入部２２がフォーク状に形成されている。
上記受入部２２は、光ファイバ心線１を余裕をもって保持する遊挿溝２３と、この遊挿溝２３の入口で開口する案内部２４とで構成されている。
尚、上記遊挿溝２３の底部は光ファイバ心線１に整合するように半円弧状に形成されている。
ここで、遊挿溝２３の幅寸法は、光ファイバ心線１の外見寸法が０．９ｍｍである場合に０．９５ｍｍに設定するのが望ましい。また、案内部２４の開度は９０度が望ましい。尚、１９Ａはガイド１９のボルト挿通孔を示す。
【００１５】
そして、上記受入部２２の形成位置は、ホルダ台４の摺動面Ｇにガイド部１９にボルト２１によって固定された取付部１８を載置した場合に、上記ガイド部１９の受入部２２の遊挿溝２３の底部が光ファイバ心線１の挿入軌跡Ｌ上に配置されるように設定されている。
【００１６】
以下、この発明の実施の形態の作用および効果を説明する。
光コネクタ組立工具３により光コネクタ７に光ファイバ心線１を取り付けるに際して、まず、光コネクタ組立工具３にガイド治具２を取り付ける。このとき、ガイド治具２の取付部１８がホルダ台４の摺動面Ｇに載置されるため、予め、この取付部１８に取り付けられたガイド部１９の受入部２２、具体的には、遊挿溝２３の底部は、ファイバホルダ６に保持された光ファイバ心線１の挿入軌跡Ｌ上に正確に位置決めされる。
【００１７】
次いで、ファイバホルダ６を付勢機構１１のスプリング１３を伸長してスライダ１４を待機位置まで後退させ図示しない係止部材でロックする。
この状態で、ロックを解除してファイバホルダ６をゆっくり前進させ、光ファイバ心線１の端末１Ａをガイド治具２の受入部２２の遊挿溝２３に挿入させた後、手を離せば、付勢機構１１によりファイバホルダ６は前進して、光ファイバ心線１は光コネクタ７の接続機構１０に確実に挿入され、この接続機構１０内で光ファイバ心線１とフェルール９内の裸ファイバ８とが突き合わせ接続される。
【００１８】
ここで、受入部２２には遊挿溝２３の入口で開口する案内部２４が設けられているため、受入部２２の遊挿溝２３に光ファイバ心線１の端末１Ａを挿入する作業を簡単に行うことができる。
ところで、光コネクタ７に挿入される光ファイバ心線１にたとえ曲がりぐせがあったとしても、端末１Ａがガイド治具２の受入部２２に挿入された状態で、ファイバホルダ６が前進すれば、ファイバホルダ６の前進に伴って光ファイバ心線１は受入部２２の遊挿溝２３に案内されるため、上記曲がりぐせは自動的に矯正される。したがって、予め曲がりぐせをなくす等の作業が必要なく、光コネクタ７へ効率良く挿入することができる。
このようにして、順次光ファイバ心線１に光コネクタ７を取り付けてゆくのである。
【００１９】
尚、この発明は上記実施形態に限られるものではなく、例えば、ガイド治具２は、ＳＣコネクタ用以外の各種光コネクタを光ファイバ端末に組み付けるための各種光コネクタ組立工具や、メカニカルスプライスタイプの光ファイバ接続器を用いて光ファイバ同士を突き合わせ接続するための光ファイバ接続工具等に適用できることは勿論である。
【００２０】
【発明の効果】
以上説明したように、この発明によれば、保持具に固定された光ファイバの端末を光部品に挿入する場合に、保持具と光部品との間に配置される光ファイバのガイド治具であって、光ファイバを案内する受入部と、この受入部を光ファイバの挿入軌跡上に配置する取付部とを備えている構成であるため、保持具に固定された光ファイバ心線の端末を光部品に挿入する場合には、保持具と光部品との間にガイド治具を配置し、ガイド治具の取付部をセットすれば、受入部が光ファイバの挿入軌跡上に正確に位置決めされる。
【００２１】
したがって、光ファイバを保持具に固定し光ファイバの端末を突出させた状態で、光部品に対して保持具を移動させれば、光ファイバの突出部分は、ガイド治具の受入部に案内された状態で挿入されるため、光ファイバの曲がりぐせが矯正され、光ファイバの端末を光部品に正確に挿入することができる効果がある。
その結果、予め光ファイバ心線の曲がりぐせを修正するような作業が必要なく作業時間を短縮できる効果がある。
【図面の簡単な説明】
【図１】  この発明に実施の形態のガイド治具を備えた光コネクタ組立工具の全体図である。
【図２】  図１のＡ矢視図である。
【図３】  この発明の実施の形態のガイド治具の組立側面図である。
【図４】  図３の正面図である。
【図５】  この発明の実施の形態のガイド治具の取付部の正面図である。
【符号の説明】
１…光ファイバ心線（光ファイバ）、１Ａ…端末、２…ガイド治具、６…ファイバホルダ（保持具）、７…光コネクタ（光部品）、１８…取付部、２２…受入部、Ｌ…挿入軌跡。
【図１】
0003652500.tif 000002
【図２】
0003652500.tif 000003
【図３】
0003652500.tif 000004
【図４】
0003652500.tif 000005
【図５】
0003652500.tif 000006